(57)【要約】  【課題】伸縮自在に形成された手袋を設計通りに膨張させ、手袋の装着を円滑に行う。  【解決手段】膨張抑制部材Ｂを内蔵する減圧容器１内に、伸縮自在に形成されたゴム手袋５を挿入し、前記減圧容器内を減圧して前記手袋を膨張させ、その手袋の中に手首から先の掌と指を挿入して手袋を嵌めるものであり、前記手袋の膨張時に、手袋の掌面部７と甲面部８を前記膨張抑制部材の掌面当接部９ａ及び甲面当接部１０ａに当接させ、前記掌面当接部及び甲面当接部に形成されている通気孔１１に、前記手袋の甲面部及び掌面部を吸着させて固定させ、前記掌面部を掌面当接部に形成されている傾斜係止部２９に係止させる。  【選択図】  図１
2006149448.tif 000002
【特許請求の範囲】
【請求項１】
膨張抑制部材を内蔵する減圧容器内に、伸縮自在に形成された手袋を挿入し、前記減圧容器内を減圧して前記手袋を膨張させ、その手袋の中に手首から先の掌と指を挿入して手袋を嵌める方法において、
前記手袋の膨張時に、手袋の掌面部と甲面部を前記膨張抑制部材の掌面当接部と甲面当接部に接触させ、前記当接部の通気孔に前記手袋の掌部を吸着させると共に、前記手袋の掌面部を前記掌面当接部の傾斜係止部に係止させることを特徴とする手袋を嵌める方法。
【請求項２】
膨張抑制部材の掌面当接部及び甲面当接部の通気孔に、前記手袋の甲面部及び掌面部を吸着させることを特徴とする請求項１記載の手袋を嵌める方法。
【請求項３】
膨張抑制部材を内蔵する減圧容器に、空気の吸引孔と掌の挿入孔を形成し、その減圧容器内に該挿入孔から伸縮自在な手袋を挿入し、その挿入孔の周縁に手袋の手首周縁部を密着した状態で、前記減圧容器内を減圧して手袋を膨張させる手袋を嵌める装置において、
前記膨張抑制部材は、前記手袋の掌部に対向する掌面当接部及び甲面当接部と、前記当接部に形成された通気孔と、前記掌面当接部に形成され、該手袋の掌面部を係止せしめる傾斜係止部と、を備えていることを特徴とする手袋を嵌める装置。
【請求項４】
膨張抑制部材は、手が挿入できる間隔をあけて対向する一対の抑制板により形成されていることを特徴とする請求項３記載の手袋を嵌める装置。
【請求項５】
膨張抑制部材は、着脱可能な抑制箱であることを特徴とする請求項３記載の手袋を嵌める装置。
【請求項６】
通気孔が、掌面当接部及び甲面当接部の上部側に形成されていることを特徴とする請求項３記載の手袋を嵌める装置。
【請求項７】
通気孔が、掌面当接部及び甲面当接部の下部側に形成されていることを特徴とする請求項３記載の手袋を嵌める装置。
【発明の詳細な説明】
【技術分野】
【０００１】
この発明は、薄膜状の医療用ゴム手袋等の伸縮自在な手袋を、手首の先の掌及び指の表面に密着して簡単に、且つ、迅速に正しく嵌めることのできる方法と装置に関する。
【背景技術】
【０００２】
外科手術には、薄膜状のゴム手袋が用いられているが、この手袋は装着完了時に手指にフィットする様にする為、手の大きさより小さく形成されている。そのため、手袋を嵌める際には、手が手袋内に円滑に入らないので、手袋の手首周縁部を引っ張りながら無理矢理、手を押し込まなければならない。しかし、この様にして手袋を嵌めると、装着に時間がかかると共に、爪等により手袋に傷がつくことがある。
【０００３】
そこで、この問題を解決するため、手袋を囲む開口部を有する筐体と、前記開口部の近傍に設けた前記手袋の挿入口を着脱自在に固定する固定手段と、前記筐体の所定位置に設けた減圧装置と、前記筐体内の手袋に沿って、前記手袋の膨脹を規制する規制板部と、から構成された手袋装着装置、が開発されている。
この装置は、手袋を開口部から筐体内に挿入した後、該筐体内を減圧することにより、手袋を装着しようとする手より大きく膨らませ、前記手が入り易い様にするとともに、前記規制板部により手袋の膨張を規制するものである。
【０００４】
前記手袋の規制板部として、次のタイプがある（例えば、特許文献１、参照）。
（１）手袋の形状に沿って袋状に形成し、その掌部と指部に通気孔を穿設した、手形タイプ。
（２）平板又は緩やかに湾曲した板状に形成された、上側ガイドと下側ガイドとからなり、手袋が膨らんだときに、手袋の甲面部及び掌面部が当接する、平板タイプ。
【０００５】
【特許文献１】特開平10−２０２号公報
【発明の開示】
【発明が解決しようとする課題】
【０００６】
従来例には、次の様な問題がある。
（１）手形タイプでは、規制板部の隣り合う指部間に仕切壁が存在するので、手袋の各指が、それぞれ対応する規制板部の各指に正確に入らないことがあり、また、それが正確に入ったとしても、手袋の指部が前記仕切壁に引っかかることがある。そのため、手袋が設計通り正確に膨張しないため、手の挿入を円滑に行うことができない。
【０００７】
通気孔が、規制板部の指部にも形成されているので、手袋の指部が前記通気孔内に吸引され、長手方向に伸びてしまう。そのため、手袋の掌部と指部の境界部（指の根本部分）及び指先部が、半径方向に充分膨張しないので、手の指先が入りにくくなるが、この現象は、手袋のサイズが小さくなるほど顕著となる。その一例を挙げると、例えば、自然形状、即ち、手袋を膨張させる前の形状、において、女性看護師用の小サイズ手袋の指先は、男性医師用の大サイズ手袋の指先よりも、規制板部の指部先端との間隔が長くなる。そのため、膨張時には、前記小サイズ手袋の指先は、前記大サイズ手袋の指先の伸びよりも更に長く伸びるので、ますます手が入りにくくなる。
【０００８】
（２）平板タイプでは、手袋の掌部は規制板部により半径方向の膨張を規制されるが、長手方向には規制されない。そのため、手袋の掌部が長手方向に伸びるとともに、指部の根本及び指先部分も半径方向に充分に膨らまないので、手の指先を円滑に挿入することができない。
【０００９】
この発明の目的は、伸縮自在に形成された手袋を設計通りに膨張させ、手袋の装着を円滑に行うことである。
【課題を解決するための手段】
【００１０】
この発明は、膨張抑制部材を内蔵する減圧容器内に、伸縮自在に形成された手袋を挿入し、前記減圧容器内を減圧して前記手袋を膨張させ、その手袋の中に手首から先の掌と指を挿入して手袋を嵌める方法において、前記手袋の膨張時に、手袋の掌面部と甲面部を前記膨張抑制部材の掌面当接部と甲面当接部に接触させ、前記当接部の通気孔に前記手袋の掌部を吸着させると共に、前記手袋の掌面部を前記掌面当接部の傾斜係止部に係止させることを特徴とする。
【００１１】
この発明の膨張抑制部材の掌面当接部及び甲面当接部の通気孔に、前記手袋の甲面部及び掌面部を吸着させることを特徴とする。
【００１２】
この発明は、膨張抑制部材を内蔵する減圧容器に、空気の吸引孔と掌の挿入孔を形成し、その減圧容器内に該挿入孔から伸縮自在な手袋を挿入し、その挿入孔の周縁に手袋の手首周縁部を密着した状態で、前記減圧容器内を減圧して手袋を膨張させる手袋を嵌める装置において、前記膨張抑制部材は、前記手袋の掌部に対向する掌面当接部及び甲面当接部と、前記当接部に形成された通気孔と、前記掌面当接部に形成され、該手袋の掌面部を係止せしめる傾斜係止部と、を備えていることを特徴とする。
【００１３】
この発明の膨張抑制部材は、手の挿入間隔をあけて対向する一対の抑制板により形成されたり、又は、着脱可能な抑制箱に形成されたりしていることを特徴とする。
【発明の効果】
【００１４】
この発明の膨張抑制部材は、手袋の掌部に対向する掌面当接部及び甲面当接部と、前記当接部に形成された通気孔と、前記掌面当接部に形成され、該手袋の掌面部を係止せしめる傾斜係止部と、を備えているので、手袋が膨張すると、その掌面部及び甲面部は当接部に当接し、それ以上変形できなくなる。この時、甲面部は通気孔に吸着され固定されると共に、その掌面部は傾斜係止部に係止するので、手袋の長手方向への移動が規制される。そのため、手袋の指部が半径方向に充分膨らみ設計通りに膨脹するので、手を円滑に挿入することができる。
【発明を実施するための最良の形態】
【００１５】
本件発明者は、設計通りに手袋を膨張させるには、手袋の掌部が、膨張抑制部材の掌面当接部及び甲面当接部に、正確に位置するようにしなければならない、と考え、その手段について実験研究を重ねた。
その結果、膨張抑制部材の掌面当接部及び甲面当接部に通気孔を設けるとともに、膨張抑制部材の掌面当接部に傾斜係止部を設ければ良いことがわかった。この発明は、前記知見にも基づくものである。
この発明は、膨張抑制部材が、掌面当接部及び甲面当接部と、前記当接部に形成された通気孔と、前記掌面当接部に形成され、該掌面部を係止せしめる傾斜係止部と、を備えることにより、手袋の膨張時に於ける半径方向及び長手方向の伸びを抑制し、設計通りに膨張させるものである。
【実施例】
【００１６】
この発明の第１実施例を図１〜図７により説明する。
図１に示す様に、減圧容器１に空気の吸引孔２と手の挿入孔４を形成し、その挿入孔４から減圧容器１内に伸縮自在な手袋、例えば、薄膜状の医療用ゴム手袋５を挿入する。その挿入孔４の周縁に設ける挿入筒４aの先端縁に、手袋５の手首の周縁部６を密着した状態で取り付け、該手袋５を実線で示す垂下状態にする。
【００１７】
その状態で減圧容器１内を、図示してない真空ポンプなどで減圧して、手袋５の外側の減圧された空気圧pと、その手袋５の内側の大気圧paとの圧力差Δpを
高めて、前記実線で示す形状の手袋５を、その中に手首から先の指と掌を緩く余裕を持って容易に挿入できる程度の大きさ、即ち、同図中に一点鎖線で示す手袋５aの形状に膨張させる。
【００１８】
減圧容器１には、手の挿入孔４と連通する膨張抑制部材Ｂが内蔵されている。この抑制部材Ｂは、例えば、手の挿入間隔をあけて対向する、一対の抑制板９，１０を備えており、この抑制板９，１０には、通気孔１１が設けられ、又、掌面部７側の抑制板９には、傾斜係止部２９が設けられている。
【００１９】
抑制板９，１０は、実線で示す手袋５の掌部３の掌面部７と甲面部８に夫々間隔Ｄを隔てて固定して配置されている。抑制板９，１０の上端は、減圧容器１の上面１ｂに固定され、その下端は連結板１２により連結されている。前記連結板１２は、容器１の底面１aから離間し、又、前記抑制板９，１０の左右両側端は、減圧容器１の側壁１５に連結されている。
【００２０】
通気孔１１は、抑制板９，１０の掌面当接部9a及び甲面当接部１０ａの上部側に複数設けられているが、この通気孔１１の位置、形状、個数等は、必要に応じて適宜選択される。例えば、通気孔１１を前記当接部９ａ、１０ａの中央部、又は、抑制板１０の甲面当接部１０ａのみに設けても良い。
【００２１】
抑制板９の掌面当接部9aは、手袋５の掌面部７と接触する部分であり、また、平板状の抑制板１０の甲面当接部１０ａは、手袋５の甲面部８と接触する部分である。
【００２２】
抑制板９の掌面当接部９ａの下部側には、傾斜係止部２９が設けられている。この傾斜係止部２９は、手袋５の膨張時に手袋５の掌面部７を係止する部分で、手の掌の形状に沿った湾曲面、又は、所定の角度、例えば、傾斜角度３０°、の傾斜面、に形成されている。
【００２３】
前記実線で示す手袋５の甲面部８から見る形状は、図５の通りであり、その図５のVI−VI線部の断面形状は、図６に実線で図示する様な竪長の扁平な形状である。また、図５のVII―VII線部の断面形状は、図２及び図７に実線の扁平なループＬ５で図示されており、同様に図５のVIII―VIII線部の断面形状は、図２及び図７に実線を用いて扁平なループＬ１３で図示されている。
【００２４】
図６、図７の実線で示す手袋５aの形状は、減圧容器1内の圧力pを大気圧ｐaより減圧して、その前の状態の横断面が扁平なループＬ5の形状から、半径Rの円Ｃに変形し、つづいてその半径Rが伸び始める前の状態の立体形状を示している。
【００２５】
また、図６の実線で示す手袋５aの指部１３の形状は、減圧容器1内の圧力pを大気圧ｐaより若干減圧して、その前の状態の横断面が扁平なループＬ１３の形状から、先ず半径rの円cに変形し、続いてその半径rが伸び始める前の状態の形状を示している。
【００２６】
その後、更に減圧容器１内の空気圧pを減圧し、大気圧paとの圧力差Δpを高
めて前記空気圧pを空気圧p１にすると、前記半径Ｒの円Ｃは半径R1の円Ｃ1に膨張するが、指部１３の前記円cは殆ど膨張しないでそのままの半径r1を維持している。
【００２７】
この状態を図７で詳述すると、前記圧力差Δｐによって生ずる円Cの円周上の
角変位θにおける部分に作用する切線方向の外力は、
∫0πｐＲsinθｄθ＝２pＲ
であり、またゴム手袋5の単位面積当りの内力をσとすると、前記外力と内力は平衡しているので、
σ＝２ｐＲ
となる。
【００２８】
その際、円Ｃの半径ＲがΔR膨張して、Ｒ＋ΔＲとなり、その円周長さ２πＲ
がＲΔθだけ伸びて変形し、このときのゴム手袋5のヤング係数をEとすると、
E＝σ／（ΔＲ／Ｒ）
となる。このことから、半径方向の変位量ΔＲは、
ΔＲ=１／Ｅ・２ｐＲ2 
となる。
【００２９】
即ち、半径方向の変位量ΔＲは、半径Ｒの二乗に比例することになり、手袋5a
の前記VIII−VIII線部の半径ｒは、VII-VII線部の半径、即ち、掌部の半径Ｒより遥かに小さく、又、前記両線部におけるヤング係数Ｅおよび空気圧pは夫々同一である。
【００３０】
そのため、抑制板９，１０が無い場合は、前記VII-VII線部の半径Rが図６，図７に示す如く、半径R1または半径R2に膨張してもVIII−VIII線部の半径、即ち指部１３の半径rは、殆ど膨張しないでそのままでいるので、そこには手首の先の指を挿入することができない。
【００３１】
この発明は、前述のように前記実線で示す手袋５の掌面部７と甲面部８に、夫々間隔Ｄを隔てて通気孔１１付き抑制板９，１０を配置しているので、前記減圧容器1内の空気圧pをp1、又は、p２に減圧しても図６，図７の半径Rは、半径R1,R２まで膨張できずに、手袋５の掌面部７と甲面部８は同図の抑制板９、１０に突き当たってその位置で停止する。
【００３２】
この際、手袋５の掌面部７及び甲面部８は、図4に示す如く、前記抑制板９，１０の掌面当接部９ａ、甲面当接部１０ａに押し付けられ、その一部が通気孔１１内に吸引されるとともに、掌面部７は、傾斜係止部２９に係止する。そのため、手袋５の掌部３は、矢印A５方向に伸びたり摺動することができないので、その間に前記指部13の膨張をすることができる。
【００３３】
この場合、前記空気圧ｐ１、ｐ２と半径R1,R2との関係は、抑制板９，１０を設けた状態を示す図６において、その抑制板９，１０を除去した場合に於いて、一点鎖線で示す半径R１の手袋５ｂおよび半径R２の手袋５ｃの大きさまで膨張する際の空気圧ｐ１、ｐ２に相当するが、抑制板９，１０より外側には膨張できないので、その膨張を抑制されている部分の圧力エネルギーが抑制板９，１０と接触していない手袋５の指部１３に作用し、半径ｒが前記空気圧ｐ１、ｐ２に相当する半径ｒ１の大きさ、即ち、指を緩く挿入できる大きさになるまで膨張する。
【００３４】
この様にして手袋を嵌めようとする手首の先の掌を、図３に示す様に、前記手袋５の手首側から前記充分に膨張した手袋５内に余裕を持って緩く挿入する。その後、減圧容器１内にその吸引孔2から外気を吸引して、減圧容器１内の空気圧を大気圧と等しくし、膨張している手袋５をその弾力によって収縮して手首の先に密着する。
【００３５】
手袋５を嵌めたままの状態で、手首から先を図３に示す如く、膨張した手袋５の先端部を矢印A５方向に一旦摺動して、手袋５の手首部を挿入筒４aに係合した状態から解除する。その後手を反対方向に向けて摺動し、手首を減圧容器１の挿入孔４からその外側に抜き出して手袋５を嵌める動作を終了する。
【００３６】
この装置は、病院の手術室等に設置することにより、各医師が看護士等の手を借りないで素早く正しく、手袋を嵌めることができるので、より高度な医療を行うことができる。
【００３７】
この発明の第2実施例を、図8及び図9により説明するが、図１〜図7の図面符号と同一図面符号は、その名称も機能も同一である。
この実施例と第１実施例との相違点は、次の通りである。
（１）減圧容器１に蓋部２１が設けられていること。即ち、減圧容器１は、有底筒状の本体部２０と、該本体部２０の開口部を開閉する蓋部２１と、から構成され、前記両部２０、２１の接合部は、パッキン２３によりシールされている。
【００３８】
（２）膨張抑制部材Ｂとして、一対の抑制板の代わりに、箱状に形成された抑制箱２５が用いられていること。この抑制箱２５は、減圧容器１及び蓋部２１から独立した箱体であり、底壁25aと、該底壁２５ａを囲む４つの側壁、即ち、左右側壁２５ｂ、２５ｃ、甲側壁２５ｄ、掌側壁２５ｅと、を備えている。
【００３９】
底壁２５ａは、減圧容器１の底部１ａから離間している。左右の側壁２５ｂ、２５ｃは、無孔板で形成され、減圧容器１の内面から離間した状態で互いに対向している。甲側壁２５ｄと掌側壁２５ｅには、それぞれ複数の通気孔１１が穿設されているが、この通気孔１１は、手袋５の掌部３に対応する部分、即ち、掌面当接部９ａ及び甲面当接部１０ａ、の中央部に一列に形成されている。
【００４０】
掌側壁２５ｅの掌面当接部９ａの下部には、傾斜係止部２９が設けられている。甲側壁２５ｄと掌側壁２５ｅの部３に対応する部分９ａ、１０ａは、手の掌部挿入空間２７を介して対向しており、又、その指部１３に対応する部分は、指の挿入空間３０を介して対向している。前記手の掌部挿入空間２７は、開いた状態の掌が余裕をもって挿入できる大きさに形成され、又、指の挿入空間３０は、掌挿入部２７より小さく、且つ、各指が余裕をもって挿入できる大きさに形成されている。
【００４１】
この実施例の手袋を嵌める場合の作動は、前記第１実施例のそれ同一であるので、その説明を省略する。ここでは、外科手術終了後に手袋を外す場合について説明する。
前記手術の終了後、薄膜状ゴム手袋５が嵌められている手を挿入孔４に挿入し、その掌を抑制箱２５の手の掌部挿入空間２７に、又、その指を指の挿入空間３０に位置させる。
【００４２】
蓋部２１の挿入筒４aの先端縁に、前記手袋５の手首の周縁部６を密着した状態で取り付け、図示してない真空ポンプなどで減圧すると、該手袋５が膨張し、手袋の掌部３は、手の掌から離れ、又、指部１３は手の指から離れる。この状態で、手を挿入孔４から引き出すと、手袋５の抵抗を受けないので、簡単に手袋を外すことができる。
【００４３】
前記手袋５を外した後、減圧容器１内を大気圧にして手袋を自然状態に戻し、該手袋５の手首の周縁部６を蓋部２１の挿入筒４aの先端縁から外す。
この様にして手袋を外すと、該手袋に付いている血液等が衣服や皮膚等に付着することがないので、衛生上好ましい。
【００４４】
なお、この実施例の装置が、手袋５を外す場合に使用されると、減圧容器１や抑制箱２５の汚れが問題となるが、減圧容器１の蓋部２１を開けると、抑制箱２５を取り出せるので、容易に清掃することができる。
【００４５】
次に、実験例について説明する。
第１実験例を図１０〜図１４に基づいて説明する。前記図に於いて手袋５の掌面部７、甲面部８は、実際には掌面当接部２５ｄ、甲面当接部２５ｅに当接しているが、通気孔１１の位置を明確に表示するため、離間して表示してある。
図１０に示すように、減圧容器１内に抑制箱２５を設けるが、この抑制箱２５は抑制壁２５Ｗを備えている。前記抑制壁２５Ｗは、互いに対向する掌面当接部２５ｅと甲面当接部２５ｄが設けられており、この掌面当接部２５ｅと甲面当接部２５ｄには通気孔１１が形成されている。
【００４６】
この減圧容器１の挿入孔４から、自然形状（膨らます前の状態）の薄膜状ゴム手袋５を挿入して垂下させ、該手袋５の手首周縁部を挿入孔４に引っ掛けて固定する。この自然形状における、手袋５の指部１３の先端１３ａは、図１１に示すように、基準線Ｓ上に位置している。
【００４７】
図１２の抑制箱２５では、通気孔１１を、自然形状における手袋５の指先より下方に形成している。この抑制箱では、図示しないブロアモータを起動して吸引孔２から吸引し、減圧室１内を負圧にすると、手袋５が抑制壁２５ｗに規制されながら膨張し、指部１３の先端１３ａは、基準線ＳよりＨ１＝約６cm下方まで伸びた。
【００４８】
図１３の抑制箱２５では、通気孔１１を、自然形状に於ける手袋５の掌部３の下部近傍に形成したが、この抑制箱では、手袋５の指部１３の先端１３ａは、基準線ＳよりＨ２＝約４〜５cm下方まで伸びた。
【００４９】
図１４の抑制箱２５では、通気孔１１を、自然形状に於ける手袋５の掌部３の上部近傍に形成したが、この抑制箱では、手袋５の指部１３の先端１３ａは、基準線ＳよりＨ３＝約３cm下方まで伸びた。
【００５０】
前記実験例から明らかなように、通気孔１１の位置により手袋の指部の伸び具合が大きく異なることがわかるが、その伸びが、基準線Ｓより３cm未満の範囲内でないと、手袋の円滑な装着は困難である。
【００５１】
第２実験例を図１５〜図１７に基づいて説明するが、前記図に於いて手袋５の掌面部７、甲面部８は、実際は掌面当接部２５ｅ、甲面当接部２５ｄに当接しているが、通気孔１１の位置を明確に表示するため、離間して表示してある。
この実験例と前記第１実験例と異なる点は、手袋５の掌部３の掌面部７側の、規制壁２５Ｗの掌面当接部２５ｅの下部側に傾斜係止部２９を形成したことである。
【００５２】
図１５の抑制箱２５では、通気孔１１を、自然形状に於ける手袋５の指先より下方に形成している。この抑制箱では、手袋５を膨張させると、指部１３の先端１３ａは、基準線ＳよりＨ４＝約４cm下方まで伸びた。
【００５３】
図１６の抑制箱２５では、通気孔１１を、自然形状に於ける手袋５の掌部３の下部近傍に形成している。この抑制箱では、手袋５の指部１３の先端１３ａは、基準線ＳよりＨ５＝約３cm下方まで伸びた。
【００５４】
図１７の抑制箱２５では、通気孔１１を、自然形状に於ける手袋５の掌部３の上部近傍に形成している。この抑制箱では、手袋５の指部１３の先端１３ａは、基準線ＳよりＨ６＝約１〜２cm下方まで伸びた。
【００５５】
以上の実験から、図１６及び図１７の抑制箱２５、即ち、傾斜係止部２９を有し、通気孔１１が手袋の掌部の対応する部分に形成されている膨張抑制部材が、手袋を円滑に嵌めるために最適であり、実用的であることが理解できる。
【産業上の利用可能性】
【００５６】
この発明は、外科手術等の医療分野の他、原子力、食料品、クリーンルームを必要とする半導体、液晶、医薬品などの分野において利用することができる。
【図面の簡単な説明】
【００５７】
【図１】この発明の第１実施例を示す縦断面図である。
【図２】図１のII−II部の平断面図である。
【図３】図１の他の状態を示す縦断面図である。
【図４】図３のIV−IV線部の拡大断面図である。
【図５】図１の手袋の左側面図である。
【図６】図５のVI−VI線部の断面図である。
【図７】図６のIX−IX線部の断面図である。
【図８】この発明の第２実施例を示す縦断面図である。
【図９】図８のX−X線部の平断面図である。
【図１０】第１実験例を示す一部断面斜視図である。
【図１１】図１０のXII-XII線断面縦断面の一部を示す図である。
【図１２】抑制箱を示す断面図である。
【図１３】図１２と通気孔の位置が異なる抑制箱を示す断面図である。
【図１４】図１３と通気孔の位置が異なる抑制箱を示す断面図である。
【図１５】第２実験例を示す縦断面図である。
【図１６】図１５と通気孔の位置が異なる抑制箱を示す断面図である。
【図１７】図１６と通気孔の位置が異なる抑制箱を示すである。
【符号の説明】
【００５８】
１      減圧容器
２      吸引孔
３      掌部
４      挿入孔
５      手袋
７      掌面部
８      甲面部
９      抑制板
９ａ    掌面当接部
１０    抑制板
１０ａ  甲面当接部
１１    通気孔
１３    指部
【図１】
2006149448.tif 000003
【図２】
2006149448.tif 000004
【図３】
2006149448.tif 000005
【図４】
2006149448.tif 000006
【図５】
2006149448.tif 000007
【図６】
2006149448.tif 000008
【図７】
2006149448.tif 000009
【図８】
2006149448.tif 000010
【図９】
2006149448.tif 000011
【図１０】
2006149448.tif 000012
【図１１】
2006149448.tif 000013
【図１２】
2006149448.tif 000014
【図１３】
2006149448.tif 000015
【図１４】
2006149448.tif 000016
【図１５】
2006149448.tif 000017
【図１６】
2006149448.tif 000018
【図１７】
2006149448.tif 000019